(57)【要約】【課題】対電極を配置した２枚の基板間に電界駆動可能な表示媒体を封入し、電極に印加した電圧に応じて形成される電界を表示媒体に付与することによって、表示媒体を移動させて画像等の情報表示を行う情報表示用パネルを用いた情報表示ボードにおいて、壁等の掲示面からの着脱が容易に行えることを特徴とする情報表示ボードを提供する。【解決手段】情報表示パネルの２枚の基板をフィルムシートで構成し、電源として小型電池を搭載し、軽量な情報表示パネルを実現し、かつ、外側にマグネットもしくは粘着性シートを設けた構成とするで掲示面からの着脱を繰り返し行うことが可能となる。【選択図】図２７
2007322890.tif 000002
【特許請求の範囲】
【請求項１】
対電極を配置した２枚の基板間に電界駆動可能な表示媒体を封入し、電極に印加した電圧に応じて形成される電界を表示媒体に付与することによって、表示媒体を移動させて画像等の情報表示を行う情報表示用パネルを用いた情報表示ボードにおいて、２枚の基板をフィルムシートで構成し、電源として小型電池を搭載し、かつ、外側にマグネットもしくは粘着性シートを設けた構成となる、壁等の掲示面からの着脱が容易に行えることを特徴とする情報表示ボード。
【請求項２】
内側に導電部材を配置した２枚の基板間に電界駆動可能な表示媒体を封入し、基板外部から表示媒体に電界を付与することによって表示媒体を移動させて画像等の情報表示を行う情報表示用パネルを用いた情報表示ボードにおいて、２枚の基板をフィルムシートで構成し、かつ、外側にマグネットもしくは粘着性シートを設けた構成となる、壁等の掲示面からの着脱が容易に行えることを特徴とする情報表示ボード。
【請求項３】
前記電界駆動可能な表示媒体が、光学的反射率および帯電特性の異なる２色の表示用カラー粒子から構成されるものであることを特徴とする請求項１または２に記載の情報表示ボード。
【請求項４】
請求項１に記載の情報表示ボードにおいて、書き換え情報を受信するため、あるいは、表示した情報を送信するための無線通信装置を搭載することを特徴とする情報表示ボード。
【請求項５】
請求項１か２のいずれかに記載の情報表示ボードにおいて、情報表示ボードを縦にして設置することも、横にして設置することも可能であることを特徴とする情報表示ボード。
【請求項６】
請求項１か２のいずれかに記載の情報表示ボードにおいて、情報表示ボードの厚さにかかわらず、可とう性部分に固定用シートを配置することを特徴とする情報表示用ボード。
【請求項７】
請求項１か２のいずれかに記載の情報表示ボードにおいて、可とう性部分の厚さが、情報表示用パネルより薄いことを特徴とする情報表示用ボード。
【請求項８】
請求項１か２のいずれかに記載の情報表示ボードにおいて、固定用シート配置部分として、情報表示ボードに可とう性部材を設ける、あるいは、パネル前面基板を延長することを特徴とする情報表示用ボード。
【発明の詳細な説明】
【技術分野】
【０００１】
本発明は、電界駆動可能な表示媒体に電界を付与し、表示媒体を移動させることによって画像等の情報表示を行う情報表示用パネルを用いた情報表示ボードにおいて、ワンタッチで設置できる軽量薄型情報表示ボードに関するものである。
【背景技術】
【０００２】
従来の情報表示ボードというと、駅のホームなどに設置されている、案内表示板としての電光掲示板が一般的である。これは、発光ダイオード(ＬＥＤ)や液晶、電球などを用いて情報を発信するための掲示板であり、発光体をマトリクス状に配置し、その明滅により文字や絵を表現するものが主流であるがいずれも重量が重い構成となり、天井などに設置する際にはしっかりと固定することが必要である。
【０００３】
比較的軽量な表示パネルの従来例として、基板をシートで構成した表示パネルである可逆性画像表示媒体が提案されている。この可逆性画像表示媒体は、光透過性を有する２枚のシートと、２枚のシートの間に形成され、周囲を仕切り壁で囲まれた１又は２以上の現像剤収容セルと、各セルに内包された乾式現像剤とを有しており、乾式現像剤は、互いに帯電極性の異なる、且つ、互いに光学的反射濃度の異なる少なくとも２種類の、摩擦帯電性を有する乾式現像粒子を含んでいる。各セルに内包された現像粒子が摩擦帯電している状態で該現像粒子に対し表示しようとする画像に対応させて画素ごとに所定の静電場を形成することで該現像粒子を移動させて画像表示する（例えば特許文献１参照）。
しかし、この表示パネルを立てて用いると基板シート内側に移動してきて表示に寄与している表示用粒子（現像剤粒子）が重力の影響で基板シートからずれおちてしまい表示状態の劣化が発生してしまう問題があった。
【０００４】
また、その他の軽量な表示パネルの従来例として、少なくとも一方が透明な２枚の基板の間に、色及び帯電特性の異なる少なくとも２種類以上の粒子を封入し、基板上に格別に設けた電極からなる電極対から粒子に静電界を与えて、粒子を飛翔移動させ画像を表示させる画像表示パネルが提供されている（例えば特許文献２参照）。
【特許文献１】特開２００１−２９０１７９号公報
【特許文献２】国際公開第０３／０５０６０６号パンフレット
【発明の開示】
【発明が解決しようとする課題】
【０００５】
従来の情報表示ボートに用いる電極付基板製の従来パネルは、表示パネル構成基板がガラス製であること、表示パネルと駆動装置とから構成される表示装置として頑丈な筐体に入れていることからかなり重いものとなっているために、設置する際にはしっかりと固定して使用せざるを得なかった。そのため、設置工事に工数がかかり、一度決めた設置場所を変更するのは容易ではなかった。
また、電極のないシート基板製の従来パネルは、比較的軽量ではあるが、縦に設置すると表示用粒子が基板から剥がれ落ちてしまい表示の安定性に問題があった。
【０００６】
本発明の目的は上述した問題点を解消し、対電極を配置した２枚の基板間に電界駆動可能な表示媒体を封入し、電極に印加した電圧に応じて形成される電界を表示媒体に付与することによって、表示媒体を移動させて画像等の情報表示を行う情報表示用パネルを用いた情報表示ボードにおいて、２枚の基板を樹脂製のフィルムシートを用いることで、軽量な情報表示ボードを実現し、さらにマグネットや粘着シート等を用いることで掲示面への設置と着脱が容易で、縦横いずれの向きにも設置可能な情報表示ボードを提供することにある。
【課題を解決するための手段】
【０００７】
本発明の情報表示ボードは、対電極を配置した２枚の基板間に電界駆動可能な表示媒体を封入し、電極に印加した電圧に応じて形成される電界を表示媒体に付与することによって、表示媒体を移動させて画像等の情報表示を行う情報表示用パネルを用いた情報表示ボードにおいて、２枚のパネル基板をフィルムシートで構成し、電源として小型電池を搭載し、かつ、外側にマグネットもしくは粘着性シートを設けた構成となる、壁等の掲示面からの着脱が容易に行えることを特徴とするものである。
【０００８】
また、本発明の情報表示ボードは、内側に導電部材を配置した基板間に電界駆動可能な表示媒体を封入し、基板外部から表示媒体に電界を付与することによって表示媒体を移動させて画像等の情報表示を行う情報表示用パネルを用いた情報表示ボードにおいて、２枚の基板をフィルムシートで構成し、かつ、外側にマグネットもしくは粘着性シートを設けた構成となる、壁等の掲示面からの着脱が容易に行えることを特徴とするものである。
【０００９】
さらに、本発明の情報表示ボードに用いる電界駆動可能な表示媒体は、光学的反射率および帯電特性の異なる２色の表示用カラー粒子から構成されるものであり、本発明の情報表示ボードは、書き換え情報を受信するため、あるいは、表示した情報を送信するための無線通信装置を搭載することもでき、情報表示ボードを縦にして設置することも、横にして設置することも可能であることを特徴とするものである。
【００１０】
またさらに、本発明の情報表示ボードは、可とう性部材を設ける、あるいは、パネル前面基板を延長することによって、情報表示用パネルよりも薄い可とう性部分を設け、その可とう性部分に固定用シートを配置することを特徴とするものである。
【発明の効果】
【００１１】
本発明によれば、対電極を配置した２枚の基板間に電界駆動可能な表示媒体を封入し、電極に印加した電圧に応じて形成される電界を表示媒体に付与することによって、表示媒体を移動させて画像等の情報表示を行う情報表示用パネルを用いた情報表示ボードにおいて、２枚の基板をフィルムシートで構成するため軽量化を達成し、電源として小型電池を搭載し、かつ、外側にマグネットもしくは粘着性シートを設けた構成となる、壁等の掲示面からの着脱が容易に行える情報表示ボードを提供することができる。
【発明を実施するための最良の形態】
【００１２】
本発明の対象となる情報表示用パネルの例を、図１（ａ）、（ｂ）、図２および図３（ａ）〜（ｄ）に基づき説明する。
【００１３】
図１（ａ）、（ｂ）に示す例では、少なくとも１種以上の粒子から構成される光学的反射率および帯電特性の異なる少なくとも２種以上の表示媒体３（ここでは表示用白色粒子３Ｗａの粒子群からなる白色表示媒体３Ｗと表示用黒色粒子３Ｂａの粒子群からなる黒色表示媒体３Ｂを示す）を、基板１に設けた電極５と基板２に設けた電極６との間に電圧を印加することにより発生する電界に応じて、基板１、２と垂直に移動させ、黒色表示媒体３Ｂを観察者に視認させて黒色の表示を行うか、あるいは、白色表示媒体３Ｗを観察者に視認させて白色の表示を行っている。なお、図１（ｂ）に示す例では、基板１、２との間に例えば格子状に隔壁４を設けセルを形成している。また、図１（ｂ）において、手前にある隔壁は省略している。
【００１４】
図２に示す例では、少なくとも１種以上の粒子から構成される少なくとも光学的反射率と帯電性を有する表示媒体３（ここでは表示用白色粒子３Ｗａの粒子群からなる白色表示媒体３Ｗを示す）を、基板１に設けた電極５と基板２に設けた電極６との間に電圧を印加することにより発生する電界に応じて、基板１、２と垂直斜め方向に移動させ、白色表示媒体３Ｗを観察者に視認させて白色の表示を行うか、あるいは、基板１において透明な電極６の下に設けたカラー板３１（ここでは黒色）の色を観察者に視認させて黒色の表示を行っている。なお、図２に示す例では、基板１、２との間に例えば格子状の隔壁４を設けセルを形成している。また、図２において、手前にある隔壁は省略している。
【００１５】
図３（ａ）〜（ｄ）はそれぞれ本発明の対象となる情報表示用パネルのさらに他の例を示す図である。図３（ａ）に示す例では、表示媒体駆動型の情報表示用パネルのうち、電極５、６が個別電極の例を示す。図３（ｂ）に示す例では、表示媒体駆動型の情報表示用パネルのうち、電極５、６がライン電極の例を示す。図３（ｃ）に示す例では、電極５、６を個別電極とするとともに、表示媒体をカプセル３２中に充填して基板１、２間に配置した例を示す。図３（ｄ）に示す例では、電極５、６を個別電極とするとともに、表面を半分ずつ白黒にした回転ボール型の表示媒体３３を基板１、２間に配置した例を示す。図３（ａ）〜（ｄ）に示したいずれの例も、本発明の対象となる情報表示用パネルに好適に適用することができる。
【００１６】
以上の説明は、粒子群からなる白色表示媒体３Ｗを粉流体からなる白色媒体に、粒子群からなる黒色表示媒体３Ｂを粉流体からなる黒色表示媒体に、それぞれ置き換えた場合も同様に適用することが出来る。粉流体については後述する。
【００１７】
以下、図４〜７を参照して、本発明の情報表示ボードに搭載する情報表示用パネルの第１〜４実施形態を示す。また、以下に示す例において以前の例と同一の部材には同一の符号を付し、その説明を省略する。
【００１８】
図４（ａ）（ｂ）はそれぞれ、本発明の情報表示ボードに搭載する情報表示用パネルの第１実施形態である。図４（ａ）は、表示面側基板シート７Ｆと背面側基板シート７Ｂの間に、ライン電極５Ｌ、６Ｌ付情報表示用パネルを設け、図４（ｂ）は、表示面側基板シート７Ｆと背面側基板シート７Ｂの間に、個別電極５、６付情報表示用パネルを設ける。
【００１９】
図５（ａ）（ｂ）はそれぞれ、本発明の情報表示ボードに搭載するＲＧＢカラーフィルター付情報表示用パネルの第２実施形態である。図５（ａ）は、表示面側基板シート７Ｆと背面側基板シート７Ｂの間に、カラーフィルター１１Ｒ、１１Ｇ、１１Ｂを配置したライン電極付情報表示用パネルを設け、図５（ｂ）は、表示面側基板シート７Ｆと背面側基板シート７Ｂの間に、カラーフィルター１１Ｒ、１１Ｇ、１１Ｂを配置した個別電極付情報表示用パネルを設ける。
【００２０】
図６は、本発明の情報表示ボードに搭載する情報表示用パネルの第３実施形態である。図６は、表示面側基板シート７Ｆと背面側基板シート７Ｂそれぞれの内側に、導電性部材８付情報表示用パネルを設けたもので、外部電界によって表示媒体を駆動させて表示した情報をそのまま縦置き掲示している様子を示している。
【００２１】
図７（ａ）（ｂ）はそれぞれ、本発明の情報表示ボードに搭載するＲＧＢカラーフィルター付情報表示用パネルの第４実施形態である。図７（ａ）は、表示面側基板シート７Ｆと背面側基板シート７Ｂの間に、カラーフィルター１１Ｒ、１１Ｇ、１１Ｂを配置したライン状導電性部材８付情報表示用パネルを設け、図７（ｂ）は、表示面側基板シート７Ｆと背面側基板シート７Ｂの間に、カラーフィルター１１Ｒ、１１Ｇ、１１Ｂを配置した個別の導電性部材８付情報表示用パネルを設ける。
【００２２】
次に、図８〜１５を参照して、本発明の情報表示ボードで小型電池を内蔵する第１〜第８構成例について説明する。例示する構成例は、いずれも小型電池を搭載しているが、さらに、通信装置を搭載してもよい。なお、本発明の情報表示ボードの構成例は以下に示すものに限定されるものではない。
【００２３】
図８は、本発明の情報表示ボードの第１構成例である。図８（ａ）は情報表示ボードの前面図、図８（ｂ）は側面図、図８（ｃ）は背面図である。情報表示ボード２２は前面に情報表示用パネル２３を、内部に電池２４を、背面に粘着シート２０Ｂと、電池交換スペース２１とを設けてある。
【００２４】
図９は、本発明の情報表示ボードの第２構成例である。図９（ａ）は情報表示ボードの前面図、図９（ｂ）は側面図、図９（ｃ）は背面図である。情報表示ボード２２は背面にマグネットシート２０Ｍを設けてある。
【００２５】
図１０は、本発明の情報表示ボードの第３構成例である。図１０（ａ）は情報表示ボードの前面図、図１０（ｂ）は側面図、図１０（ｃ）は背面図である。情報表示ボード２２は背面に固定用シート２０（粘着シート２０Ｂかマグネットシート２０Ｍ）を設けてある。
【００２６】
図１１は、本発明の情報表示ボードの第４構成例である。図１１（ａ）は情報表示ボードの前面図、図１１（ｂ）は側面図、図１１（ｃ）は背面図である。
【００２７】
図１２は、本発明の情報表示ボードの第５構成例である。図１２（ａ）は情報表示ボードの前面図、図１２（ｂ）は側面図、図１２（ｃ）は背面図である。情報表示ボード２２は前面に情報表示用パネル２３を、上部に粘着シート２０Ｂを、内部に電池２４を、背面に電池交換スペース２１とを設けてある。
【００２８】
図１３は、本発明の情報表示ボードの第６構成例である。図１３（ａ）は情報表示ボードの前面図、図１３（ｂ）は側面図、図１３（ｃ）は背面図である。情報表示ボード２２は、上部にマグネットシート２０Ｍを設けてある。
【００２９】
図１４は、本発明の情報表示ボードの第７構成例である。図１４（ａ）は情報表示ボードの前面図、図１４（ｂ）は側面図、図１４（ｃ）は背面図である。情報表示ボード２２は、左部にマグネットシート２０Ｍを設けてある。電池交換スペース２１の形状は、電池が交換できるものであって、コイン型電池、乾電池等、電池にあわせて設けられ、円形であっても四角であってもよい。
【００３０】
図１５は、本発明の情報表示ボードの第８構成例である。図１５（ａ）は情報表示ボードの前面図、図１５（ｂ）は側面図、図１５（ｃ）は背面図である。情報表示ボード２２は、右部に粘着シート２０Ｂを設けてある。
【００３１】
次に、図１６〜２３を参照して、本発明の情報表示ボードの第９〜第１６構成例について説明する。例示する構成例は、外部電界によって表示の書き換えを行うもので、小型電池を搭載していない。なお、本発明の情報表示ボードの構成例は以下に示すものに限定されるものではない。
【００３２】
図１６は、本発明の情報表示ボードの第９構成例である。図１６（ａ）は情報表示ボードの前面図、図１６（ｂ）は側面図、図１６（ｃ）は背面図である。情報表示ボード２２は前面に情報表示用パネル２３を、背面に粘着シート２０Ｂを設けてある。
【００３３】
図１７は、本発明の情報表示ボードの第１０構成例である。図１７（ａ）は情報表示ボードの前面図、図１７（ｂ）は側面図、図１７（ｃ）は背面図である。
【００３４】
図１８は、本発明の情報表示ボードの第１１構成例である。図１８（ａ）は情報表示ボードの前面図、図１８（ｂ）は側面図、図１８（ｃ）は背面図である。
【００３５】
図１９は、本発明の情報表示ボードの第１２構成例である。図１９（ａ）は情報表示ボードの前面図、図１９（ｂ）は側面図、図１９（ｃ）は背面図である。
【００３６】
図２０は、本発明の情報表示ボードの第１３構成例である。図２０（ａ）は情報表示ボードの前面図、図２０（ｂ）は側面図、図２０（ｃ）は背面図である。
【００３７】
図２１は、本発明の情報表示ボードの第１４構成例である。図２１（ａ）は情報表示ボードの前面図、図２１（ｂ）は側面図、図２１（ｃ）は背面図である。
【００３８】
図２２は、本発明の情報表示ボードの第１５構成例である。図２２（ａ）は情報表示ボードの前面図、図２２（ｂ）は側面図、図２２（ｃ）は背面図である。
【００３９】
図２３は、本発明の情報表示ボードの第１６構成例である。図２３（ａ）は情報表示ボードの前面図、図２３（ｂ）は側面図、図２３（ｃ）は背面図である。
【００４０】
次に、図２４〜３１を参照して、本発明の情報表示ボードの使用例について説明する。例示する構成例は、小型電池や、通信装置を搭載してもよく、しなくてもよい。なお、本発明の情報表示ボードの構成例は以下に示すものに限定されるものではない。
【００４１】
図２４、本発明の情報表示ボードを店舗の柱などに設置し、客に情報を与えるために使用している例である。
【００４２】
図２５は、本発明の情報表示ボードを店舗や倉庫の棚に棚札として設置している例である。
【００４３】
図２６（ａ）は、本発明の情報表示ボードを天井２５から固定用シート２０を用いて吊るしている例で、図２６（ｂ）は、壁２６に設置している例である。
【００４４】
図２７は、本発明の情報表示ボードの上部を天井などに固定するときの好ましい様態である。図２７（ａ）は情報表示ボードの側面図であり、情報表示領域２７の上部に可とう性部材２９を設け、可とう性部材２９に固定用シート２０を配置し、可とう性部材２９と固定用シート２０とを合わせた部分を固定用可等性部分２８とする。図２７（ｂ）は情報表示ボードを天井から吊るした前面図、図２７（ｃ）は、情報表示ボードを天井から吊るした側面図である。図２７（ｄ）は情報表示ボードの側面図であり、パネル前面基板（フィルム基板）を延長し固定用可とう性部分２８とし、固定用シート２０を配置する。なお、図２７では天井から吊るす例としたが、壁に貼り付けることも可能である。
【００４５】
図２８〜３１は、上述の使用例の中で、特に具体的な例を説明する。小型電池を搭載し、一方方向実装としている。
【００４６】
図２８（ａ）は本発明の情報表示ボードの前面図、図２８（ｂ）は側面図である。表示エリアは白黒で表示する。
【００４７】
図２９（ａ）は本発明の情報表示ボードの前面図、図２９（ｂ）は側面図である。表示エリアは白黒で表示する。
【００４８】
図３０（ａ）は本発明の情報表示ボードの前面図、図３０（ｂ）は側面図である。パネルの上部の表示エリア２７Ａは黄黒で表示し、パネルの下部の表示エリア２７Ｂは白黒表示する。
【００４９】
図３１（ａ）は本発明の情報表示ボードの前面図、図３１（ｂ）は側面図である。マグネットシート２０Ｍは上部に２箇所設けているが、設置スペースと情報表示ボードに応じてマグネットシート２０Ｍは適当な形状と数を取りうる。
【００５０】
以下、本発明の対象となる情報表示用パネルを構成する各部材について説明する。
【００５１】
基板については、少なくとも一方の観測側となる前面基板はパネル外側から表示媒体の色が確認できる透明な基板であり、カラーフィルター材はこの透明基板に配置する。この透明基板としては、可視光の透過率が高くかつ耐熱性の良い可とう性を有する材料が好適である。背面側の基板は透明でも不透明でもかまわない。
基板材料を例示すると、ポリエチレンテレフタレート（ＰＥＴ）、ポリエチレンナフタレート（ＰＥＮ）、ポリエーテルサルフォン（ＰＥＳ）、ポリエチレン（ＰＥ）、ポリカーボネート（ＰＣ）、ポリイミド（ＰＩ）、アクリル樹脂などのポリマーシートや、金属シートのように可とう性のあるものが挙げられる。基板の厚みは、２〜５０００μｍが好ましく、さらに５〜２０００μｍが好適であり、薄すぎると、強度、基板間の間隔均一性を保ちにくくなり、５０００μｍより厚いと、薄型情報表示用パネルとする場合に不都合がある。
【００５２】
電極や導電部材の形成材料としては、アルミニウム、銀、ニッケル、銅、金等の金属類や酸化インジウム錫（ＩＴＯ）、酸化インジウム、アンチモン錫酸化物（ＡＴＯ）、導電性酸化錫、導電性酸化亜鉛等の導電金属酸化物類、ポリアニリン、ポリピロール、ポリチオフェンなどの導電性高分子類が例示され、適宜選択して用いられる。電極の形成方法としては、上記例示の材料をスパッタリング法、真空蒸着法、ＣＶＤ（化学蒸着）法、塗布法等で薄膜状にパターニング形成する方法や、導電剤を溶媒や合成樹脂バインダーに混合して塗布してパターニング形成する方法が用いられる。観察側（表示面側）基板に設ける材料は透明である必要があるが、背面側基板に設ける材料は透明である必要がない。いずれの場合もパターン形成可能である導電性である上記材料を好適に用いることができる。なお、電極や導電部材の厚みは、導電性が確保でき光透過性に支障がなければ良く、３〜１０００ｎｍ、好ましくは５〜４００ｎｍが好適である。背面側基板に設ける電極や導電部材の材質や厚みなどは上述した表示面側基板に設ける電極や導電部材と同様であるが、透明である必要はない。なお、この場合の外部電圧入力は、直流あるいは交流を重畳しても良い。
【００５３】
次に、本発明の情報表示ボードの表示媒体用粒子から構成される表示媒体として用いる粉流体について説明する。なお、本発明の情報表示ボードの情報表示用パネルで用いる粉流体の名称については、本出願人が「電子粉流体（登録商標）：登録番号4636931」の権利を得ている。
【００５４】
本発明における「粉流体」は、気体の力も液体の力も借りずに、自ら流動性を示す、流体と粒子の特性を兼ね備えた両者の中間状態の物質である。例えば、液晶は液体と固体の中間的な相と定義され、液体の特徴である流動性と固体の特徴である異方性（光学的性質）を有するものである（平凡社：大百科事典）。一方、粒子の定義は、無視できるほどの大きさであっても有限の質量をもった物体であり、重力の影響を受けるとされている（丸善：物理学事典）。ここで、粒子でも、気固流動層体、液固流動体という特殊状態があり、粒子に底板から気体を流すと、粒子には気体の速度に対応して上向きの力が作用し、この力が重力とつりあう際に、流体のように容易に流動できる状態になるものを気固流動層体と呼び、同じく、流体により流動化させた状態を液固流動体と呼ぶとされている（平凡社：大百科事典）。このように気固流動層体や液固流動体は、気体や液体の流れを利用した状態である。本発明では、このような気体の力も、液体の力も借りずに、自ら流動性を示す状態の物質を、特異的に作り出せることが判明し、これを粉流体と定義した。
【００５５】
すなわち、本発明における粉流体は、液晶（液体と固体の中間相）の定義と同様に、粒子と液体の両特性を兼ね備えた中間的な状態で、先に述べた粒子の特徴である重力の影響を極めて受け難く、高流動性を示す特異な状態を示す物質である。このような物質はエアロゾル状態、すなわち気体中に固体状もしくは液体状の物質が分散質として安定に浮遊する分散系で得ることができ、本発明の情報表示ボードの情報表示用パネルで固体状物質を分散質とするものである。
【００５６】
本発明の情報表示ボードに用いる情報表示用パネルは、少なくとも一方が透明な、対向する基板間に、例えば気体中に固体粒子が分散質として安定に浮遊するエアロゾル状態で高流動性を示す粉流体を封入するものであり、このような粉流体は、小さな電界の力でクーロン力などにより容易に安定して移動させることができる。
本発明に表示媒体として例えば用いる粉流体とは、先に述べたように、気体の力も液体の力も借りずに、自ら流動性を示す、流体と粒子の特性を兼ね備えた両者の中間状態の物質である。この粉流体は、特にエアロゾル状態とすることができ、本発明の情報表示用パネルでは、気体中に固体状の物質が分散質として比較的安定に浮遊する状態で表示媒体として用いられる。
【００５７】
次に、本発明の情報表示用パネルにおいて表示媒体を構成する表示用有色粒子（以下、粒子ともいう）について説明する。表示用有色粒子は、そのまま該表示用有色粒子だけで構成して表示媒体としたり、その他の粒子と合わせて構成して表示媒体としたり、粉流体になるように調整したりして用いられる。
粒子は、その主成分となる樹脂に、必要に応じて、従来と同様に、荷電制御剤、着色剤、無機添加剤等を含ますことができる。以下に、樹脂、荷電制御剤、着色剤、その他添加剤を例示する。
【００５８】
樹脂の例としては、ウレタン樹脂、ウレア樹脂、アクリル樹脂、ポリエステル樹脂、アクリルウレタン樹脂、アクリルウレタンシリコーン樹脂、アクリルウレタンフッ素樹脂、アクリルフッ素樹脂、シリコーン樹脂、アクリルシリコーン樹脂、エポキシ樹脂、ポリスチレン樹脂、スチレンアクリル樹脂、ポリオレフィン樹脂、ブチラール樹脂、塩化ビニリデン樹脂、メラミン樹脂、フェノール樹脂、フッ素樹脂、ポリカーボネート樹脂、ポリスルフォン樹脂、ポリエーテル樹脂、ポリアミド樹脂等が挙げられ、２種以上混合することもできる。特に、基板との付着力を制御する観点から、アクリルウレタン樹脂、アクリルシリコーン樹脂、アクリルフッ素樹脂、アクリルウレタンシリコーン樹脂、アクリルウレタンフッ素樹脂、フッ素樹脂、シリコーン樹脂が好適である。
【００５９】
荷電制御剤（ＣＣＡ）としては、特に制限はないが、負荷電制御剤としては例えば、サリチル酸金属錯体、含金属アゾ染料、含金属（金属イオンや金属原子を含む）の油溶性染料、４級アンモニウム塩系化合物、カリックスアレン化合物、含ホウ素化合物（ベンジル酸ホウ素錯体）、ニトロイミダゾール誘導体等が挙げられる。正荷電制御剤としては例えば、ニグロシン染料、トリフェニルメタン系化合物、４級アンモニウム塩系化合物、ポリアミン樹脂、イミダゾール誘導体等が挙げられる。その他、超微粒子シリカ、超微粒子酸化チタン、超微粒子アルミナ等の金属酸化物、ピリジン等の含窒素環状化合物及びその誘導体や塩、各種有機顔料、フッ素、塩素、窒素等を含んだ樹脂等も荷電制御剤として用いることもできる。
【００６０】
着色剤としては、以下に例示するような、有機または無機の各種、各色の顔料、染料が使用可能である。
【００６１】
黒色着色剤としては、カーボンブラック、酸化銅、二酸化マンガン、アニリンブラック、活性炭等がある。
青色着色剤としては、Ｃ．Ｉ．ピグメントブルー１５：３、Ｃ．Ｉ．ピグメントブルー１５、紺青、コバルトブルー、アルカリブルーレーキ、ビクトリアブルーレーキ、フタロシアニンブルー、無金属フタロシアニンブルー、フタロシアニンブルー部分塩素化物、ファーストスカイブルー、インダンスレンブルーＢＣ等がある。
赤色着色剤としては、ベンガラ、カドミウムレッド、鉛丹、硫化水銀、カドミウム、パーマネントレッド４Ｒ、リソールレッド、ピラゾロンレッド、ウォッチングレッド、カルシウム塩、レーキレッドＤ、ブリリアントカーミン６Ｂ、エオシンレーキ、ローダミンレーキＢ、アリザリンレーキ、ブリリアントカーミン３Ｂ、Ｃ．Ｉ．ピグメントレッド２等がある。
【００６２】
黄色着色剤としては、黄鉛、亜鉛黄、カドミウムイエロー、黄色酸化鉄、ミネラルファーストイエロー、ニッケルチタンイエロー、ネーブルイエロー、ナフトールイエローＳ、ハンザイエローＧ、ハンザイエロー１０Ｇ、ベンジジンイエローＧ、ベンジジンイエローＧＲ、キノリンイエローレーキ、パーマネントイエローＮＣＧ、タートラジンレーキ、Ｃ．Ｉ．ピグメントイエロー１２等がある。
緑色着色剤としては、クロムグリーン、酸化クロム、ピグメントグリーンＢ、Ｃ．Ｉ．ピグメントグリーン７、マラカイトグリーンレーキ、ファイナルイエローグリーンＧ等がある。
橙色着色剤としては、赤色黄鉛、モリブデンオレンジ、パーマネントオレンジＧＴＲ、ピラゾロンオレンジ、バルカンオレンジ、インダンスレンブリリアントオレンジＲＫ、ベンジジンオレンジＧ、インダンスレンブリリアントオレンジＧＫ、Ｃ．Ｉ．ピグメントオレンジ３１等がある。
紫色着色剤としては、マンガン紫、ファーストバイオレットＢ、メチルバイオレットレーキ等がある。
白色着色剤としては、亜鉛華、酸化チタン、アンチモン白、硫化亜鉛等がある。
【００６３】
体質顔料としては、バライト粉、炭酸バリウム、クレー、シリカ、ホワイトカーボン、タルク、アルミナホワイト等がある。また、塩基性、酸性、分散、直接染料等の各種染料として、ニグロシン、メチレンブルー、ローズベンガル、キノリンイエロー、ウルトラマリンブルー等がある。
【００６４】
無機系添加剤の例としては、酸化チタン、亜鉛華、硫化亜鉛、酸化アンチモン、炭酸カルシウム、鉛白、タルク、シリカ、ケイ酸カルシウム、アルミナホワイト、カドミウムイエロー、カドミウムレッド、カドミウムオレンジ、チタンイエロー、紺青、群青、コバルトブルー、コバルトグリーン、コバルトバイオレット、酸化鉄、カーボンブラック、マンガンフェライトブラック、コバルトフェライトブラック、銅粉、アルミニウム粉などが挙げられる。
これらの顔料および無機系添加剤は、単独であるいは複数組み合わせて用いることができる。このうち特に黒色顔料としてカーボンブラックが、白色顔料として酸化チタンが好ましい。上記着色剤を配合して所望の色の表示用有色粒子を作製できる。
【００６５】
また、本発明の表示用有色粒子（以下、粒子ともいう）は平均粒子径d(0.5)が、０．１〜２０μｍの範囲であり、均一で揃っていることが好ましい。平均粒子径d(0.5)がこの範囲より大きいと表示上の鮮明さに欠け、この範囲より小さいと粒子同士の凝集力が大きくなりすぎるために表示媒体としての移動に支障をきたすようになる。
【００６６】
更に本発明では、各粒子の粒子径分布に関して、下記式に示される粒子径分布Spanを５未満、好ましくは３未満とする。
Span＝（ｄ(0.9)−ｄ(0.1)）／ｄ(0.5)
（但し、ｄ(0.5)は粒子の50％がこれより大きく、50％がこれより小さいという粒子径をμｍで表した数値、ｄ(0.1)はこれ以下の粒子の比率が10％である粒子径をμｍで表した数値、ｄ(0.9)はこれ以下の粒子が90％である粒子径をμｍで表した数値である。）
Spanを５以下の範囲に納めることにより、各粒子のサイズが揃い、均一な表示媒体としての移動が可能となる。
【００６７】
さらにまた、各粒子の相関について、使用した粒子の内、最大径を有する粒子のd(0.5)に対する最小径を有する粒子のd(0.5)の比を５０以下、好ましくは１０以下とすることが肝要である。たとえ粒子径分布Spanを小さくしたとしても、互いに帯電特性の異なる粒子が互いに反対方向に動くので、互いの粒子サイズが近く、互いの粒子が当量ずつ反対方向に容易に移動できるようにするのが好適であり、それがこの範囲となる。
【００６８】
なお、上記の粒子径分布および粒子径は、レーザー回折／散乱法などから求めることができる。測定対象となる粒子にレーザー光を照射すると空間的に回折／散乱光の光強度分布パターンが生じ、この光強度パターンは粒子径と対応関係があることから、粒子径および粒子径分布が測定できる。
ここで、本発明における粒子径および粒子径分布は、体積基準分布から得られたものである。具体的には、Mastersizer2000(Malvern Instruments Ltd.）測定機を用いて、窒素気流中に粒子を投入し、付属の解析ソフト（Mie理論を用いた体積基準分布を基本としたソフト）にて、粒子径および粒子径分布の測定を行なうことができる。
【００６９】
表示用有色粒子の帯電量は当然その測定条件に依存するが、情報表示用パネルにおける表示用有色粒子の帯電量はほぼ、初期帯電量、隔壁との接触、基板との接触、経過時間に伴う電荷減衰に依存し、特に表示用有色粒子の帯電挙動の飽和値が支配因子となっているということが分かった。
【００７０】
本発明者らは鋭意検討の結果、ブローオフ法において同一のキャリア粒子を用いて、表示媒体に用いる粒子の帯電量測定を行うことにより、表示用有色粒子の適正な帯電特性値の範囲を評価できることを見出した。
【００７１】
更に、表示用有色粒子で構成する表示媒体を気中空間で駆動する乾式の情報表示用パネルに適用する場合には、基板間の表示媒体を取り巻く空隙部分の気体の管理が重要であり、表示安定性向上に寄与する。具体的には、空隙部分の気体の湿度について、２５℃における相対湿度を６０％RH以下、好ましくは５０％RH以下とすることが重要である。
この空隙部分とは、図１（ａ）、（ｂ）〜図３（ａ）〜（ｄ）において、対向する基板１、基板２に挟まれる部分から、電極５、６（電極を基板の内側に設けた場合）、表示媒体３の占有部分、隔壁４の占有部分（隔壁を設けた場合）、情報表示用パネルのシール部分を除いた、いわゆる表示媒体が接する気体部分を指すものとする。
空隙部分の気体は、先に述べた湿度領域であれば、その種類は問わないが、乾燥空気、乾燥窒素、乾燥アルゴン、乾燥ヘリウム、乾燥二酸化炭素、乾燥メタンなどが好適である。この気体は、その湿度が保持されるように情報表示用パネルに封入することが必要であり、例えば、表示媒体の充填、情報表示用パネルの組み立てなどを所定湿度環境下にて行い、さらに、外からの湿度侵入を防ぐシール材、シール方法を施すことが肝要である。
【００７２】
本発明で用いる情報表示用パネルにおける基板と基板との間隔は、表示媒体が移動できて、コントラストを維持できればよいが、通常１０〜５００μｍ、好ましくは１０〜２００μｍに調整される。
対向する基板間の空間に配置する表示媒体の体積占有率は５〜７０％が好ましく、さらに好ましくは５〜６０％である。７０％を超える場合には表示媒体の移動に支障をきたし、５％未満の場合にはコントラストが不明確となり易い。
【産業上の利用可能性】
【００７３】
本発明の情報表示ボードは、案内板、看板、ポスター、伝言板、黒板（ホワイトボード）等の掲示板、家電製品、自動車用品等の表示部、メモボード、広告板、広告塔、情報ボード、電子ＰＯＰ（Point Of presence、Point Of Purchase advertising）、電子値札、電子棚札、電子楽譜、ＲＦ−ＩＤ機器の表示部のほか、ＰＯＳ端末、カーナビゲーション装置、時計など様々な電子機器の表示部において、着脱容易なものとして好適に用いられる。
【００７４】
なお、本発明に用いる情報表示パネルの駆動方式については、パネル自体にスイッチング素子を用いない単純マトリックス駆動型表示用パネルやスタティック駆動型表示用パネル、また、薄膜トランジスタ（ＴＦＴ）で代表される三端子スイッチング素子あるいは薄膜ダイオード（ＴＦＤ）で代表される二端子スイッチング素子を用いたアクティブマトリックス駆動型表示用パネルや、情報表示を外部電界を印加することによって書き換える外部電界駆動型表示パネルなど、種々のタイプの情報表示用パネルを用いることができる。
【図面の簡単な説明】
【００７５】
【図１】（ａ）、（ｂ）はそれぞれ本発明の対象になる情報表示用パネルの一例を示す図である。
【図２】本発明の対象になる情報表示用パネルの他の例を示す図である。
【図３】（ａ）〜（ｄ）はそれぞれ本発明の対象になる情報表示用パネルの具体的な一例の構成を示す図である。
【図４】（ａ）（ｂ）はそれぞれ、本発明の情報表示ボードに搭載する情報表示用パネルの第１実施形態である。
【図５】（ａ）（ｂ）はそれぞれ、本発明の情報表示ボードに搭載するＲＧＢカラーフィルター付情報表示用パネルの第２実施形態である。
【図６】本発明の情報表示ボードに搭載する情報表示用パネルの第３実施形態である。
【図７】（ａ）（ｂ）はそれぞれ、本発明の情報表示ボードに搭載するＲＧＢカラーフィルター付情報表示用パネルの第４実施形態である。
【図８】本発明の情報表示ボードの第１構成例であり、（ａ）は情報表示ボードの前面図、（ｂ）は側面図、（ｃ）は背面図である。
【図９】本発明の情報表示ボードの第２構成例であり、（ａ）は情報表示ボードの前面図、（ｂ）は側面図、（ｃ）は背面図である。
【図１０】本発明の情報表示ボードの第３構成例であり、（ａ）は情報表示ボードの前面図、（ｂ）は側面図、（ｃ）は背面図である。
【図１１】本発明の情報表示ボードの第４構成例であり、（ａ）は情報表示ボードの前面図、（ｂ）は側面図、（ｃ）は背面図である。
【図１２】本発明の情報表示ボードの第５構成例であり、（ａ）は情報表示ボードの前面図、（ｂ）は側面図、（ｃ）は背面図である。
【図１３】本発明の情報表示ボードの第６構成例であり、（ａ）は情報表示ボードの前面図、（ｂ）は側面図、（ｃ）は背面図である。
【図１４】本発明の情報表示ボードの第７構成例であり、（ａ）は情報表示ボードの前面図、（ｂ）は側面図、（ｃ）は背面図である。
【図１５】本発明の情報表示ボードの第８構成例であり、（ａ）は情報表示ボードの前面図、（ｂ）は側面図、（ｃ）は背面図である。
【図１６】本発明の情報表示ボードの第９構成例であり、（ａ）は情報表示ボードの前面図、（ｂ）は側面図、（ｃ）は背面図である。
【図１７】本発明の情報表示ボードの第１０構成例であり、（ａ）は情報表示ボードの前面図、（ｂ）は側面図、（ｃ）は背面図である。
【図１８】本発明の情報表示ボードの第１１構成例であり、（ａ）は情報表示ボードの前面図、（ｂ）は側面図、（ｃ）は背面図である。
【図１９】本発明の情報表示ボードの第１２構成例であり、（ａ）は情報表示ボードの前面図、（ｂ）は側面図、（ｃ）は背面図である。
【図２０】本発明の情報表示ボードの第１３構成例であり、（ａ）は情報表示ボードの前面図、（ｂ）は側面図、（ｃ）は背面図である。
【図２１】本発明の情報表示ボードの第１４構成例であり、（ａ）は情報表示ボードの前面図、（ｂ）は側面図、（ｃ）は背面図である。
【図２２】本発明の情報表示ボードの第１５構成例であり、（ａ）は情報表示ボードの前面図、（ｂ）は側面図、（ｃ）は背面図である。
【図２３】本発明の情報表示ボードの第１６構成例であり、（ａ）は情報表示ボードの前面図、（ｂ）は側面図、（ｃ）は背面図である。
【図２４】本発明の情報表示ボードの使用例である。
【図２５】本発明の情報表示ボードの使用例である。
【図２６】本発明の情報表示ボードの使用例である。
【図２７】本発明の情報表示ボードの上部を天井などに固定するときの好ましい様態であり、（ａ）（ｄ）は情報表示ボードの側面図、（ｂ）（ｃ）はそれぞれ、情報表示ボードを天井から吊るした前面図と側面図である。
【図２８】（ａ）は本発明の情報表示ボードの前面図、（ｂ）は側面図である。
【図２９】（ａ）は本発明の情報表示ボードの前面図、（ｂ）は側面図である。
【図３０】（ａ）は本発明の情報表示ボードの前面図、（ｂ）は側面図である。
【図３１】（ａ）は本発明の情報表示ボードの前面図、（ｂ）は側面図である。
【符号の説明】
【００７６】
１、２          基板
３              表示媒体
３Ｗ            白色表示媒体
３Ｗａ          表示用白色粒子
３Ｂ            黒色表示媒体
３Ｂａ          表示用黒色粒子
４              隔壁
５、６          （個別）電極
５Ｌ、６Ｌ      ライン電極
７Ｆ            表示面側基板シート
７Ｂ            背面側基板シート
８              導電性部材または電極
１１            カラーフィルター
１１Ｒ          赤色カラーフィルター
１１Ｇ          緑色カラーフィルター
１１Ｂ          青色カラーフィルター
２０            固定シート
２０Ｂ          粘着シート
２０Ｍ          マグネットシート
２１            電池交換スペース
２２            情報表示ボード
２３            情報表示用パネル
２４            電池
２５            天井
２６            壁
２７            情報表示領域
２７Ａ、２７Ｂ  表示エリア
２８            固定用可とう性部分
２９            可とう性部材
３１            カラー板
３２            カプセル
３３            回転ボール型表示媒体
【図１】
2007322890.tif 000003
【図２】
2007322890.tif 000004
【図３】
2007322890.tif 000005
【図４】
2007322890.tif 000006
【図５】
2007322890.tif 000007
【図６】
2007322890.tif 000008
【図７】
2007322890.tif 000009
【図８】
2007322890.tif 000010
【図９】
2007322890.tif 000011
【図１０】
2007322890.tif 000012
【図１１】
2007322890.tif 000013
【図１２】
2007322890.tif 000014
【図１３】
2007322890.tif 000015
【図１４】
2007322890.tif 000016
【図１５】
2007322890.tif 000017
【図１６】
2007322890.tif 000018
【図１７】
2007322890.tif 000019
【図１８】
2007322890.tif 000020
【図１９】
2007322890.tif 000021
【図２０】
2007322890.tif 000022
【図２１】
2007322890.tif 000023
【図２２】
2007322890.tif 000024
【図２３】
2007322890.tif 000025
【図２４】
2007322890.tif 000026
【図２５】
2007322890.tif 000027
【図２６】
2007322890.tif 000028
【図２７】
2007322890.tif 000029
【図２８】
2007322890.tif 000030
【図２９】
2007322890.tif 000031
【図３０】
2007322890.tif 000032
【図３１】
2007322890.tif 000033